(57)【要約】【課題】撮像素子への入射情報量の減衰を補正する。【解決手段】ガルバノメータ方式の絞りと焦点距離値を検出する手段を備えたレンズを用いる固体撮像装置において、前記レンズはパターンプロジェクタとエクステンダとを内蔵した望遠ズームレンズであり、前記固体撮像装置は前記ガルバノメータの電流を検出する手段を有し、前記検出したガルバノメータの電流の時間平均値の逆数と前記検出したズーム値とからレンズ絞り値を算出し、前記レンズのエクステンダと前記レンズのズーム値と前記算出した絞り値と光学フィルタ種類との条件マトリクスにより変化するパターンプロジェクタの映像におけるレンズと撮像素子間の塵埃の影と周辺光量減衰との映像減衰を前記条件マトリクスで各画素ごとに検出し、各画素ごとに映像信号の増幅度を変調して補正する。撮像装置。【選択図】図１
2012054621.tif 000002
【特許請求の範囲】
【請求項１】
ガルバノメータ方式の絞りを備えたレンズを用いガルバノメータコイルを駆動する手段と固体撮像素子と映像信号処理部とを有する固体撮像装置において、前記固体撮像装置は前記ガルバノメータの電流を検出する手段と前記検出したガルバノメータの電流の時間平均値の逆数からレンズ絞り値を算出する手段とを有し、前記映像信号処理部は映像信号を補正する映像信号処理部であり、前記検出したガルバノメータの電流の時間平均値の逆数からレンズ絞り値を算出し、前記算出したレンズの絞り値により変化する映像信号を前記映像信号処理部で補正することを特徴とする撮像装置。
【請求項２】
請求項１の撮像装置において、上記レンズは焦点距離を検出し該検出した焦点距離情報を上記固体撮像装置に伝送する手段を内蔵したレンズであり、
上記固体撮像装置は伝送された上記レンズの焦点距離を判断する手段と、ＡＦＥと、画面周辺の映像信号の輪郭補正の輪郭強調中心周波数と輪郭強調量とを補正する機能とを含む信号処理部と、を有し、
ＡＦＥまたは信号処理部の少なくとも一方が画面周辺の映像信号の振幅低下を補正する機能を有し、
前記算出した絞り値が開放端に近づくと、上記レンズの画面周辺の変調度低下による画面周辺の映像信号の変調度低下を補正すること、
前記算出した絞り値が閉塞端に近づくと、上記レンズの画面均一の変調度低下による画面均一の映像信号の変調度低下を補正すること、
上記レンズの焦点距離情報から望遠側と判断した場合は、上記レンズの望遠側の口径食による画面周辺の光量低下による映像信号の画面周辺の振幅低下と、上記レンズの画面均一の変調度低下による映像信号の画面均一の変調度低下と上記レンズの画面周辺の変調度低下による映像信号の画面周辺の変調度低下との両方と、の少なくとも一方を補正すること、
上記レンズの焦点距離情報から広角端に近づいたと判断した場合は、上記レンズの広角側のコサイン四乗側による画面周辺の光量低下による映像信号の画面周辺の振幅低下を補正すること、
前記算出した絞り値が、閉塞端に近づくと、ガルバノメータコイル電流の時間平均値を所定値以上に保ち、電子シャッタで露光時間を短くさせること、
の少なくとも一つを行うことを特徴とする撮像装置。
【請求項３】
請求項１乃至請求項２の撮像装置において、
上記固体撮像装置の映像信号処理部は、入力映像信号を走査線期間遅延する映像信号走査線遅延部を６ヶ以上の偶数２Ｍヶと、上記入力映像信号と走査線期間遅延後の映像信号とから垂直輪郭信号を生成する多画素垂直輪郭信号生成部と、上記入力映像信号と走査線期間遅延後の映像信号とを画素遅延する映像信号画素遅延部を各６ヶ以上の偶数２Ｎヶ合計４ＭＮヶと、上記入力映像信号をＭ走査線期間遅延した映像信号とＭ走査線期間遅延し各画素遅延後の映像信号とから水平輪郭信号を生成する多画素水平輪郭信号生成部と、上記入力映像信号をＭ走査線期間遅延しＮ画素遅延した映像信号に上記多画素垂直輪郭信号と上記多画素水平輪郭信号とを加算する多画素輪郭補正部と、を有し、
上記算出したレンズの絞り値の大きさに応じて、多画素輪郭補正の垂直輪郭補正の強調中心となる走査線本数を多くすることと、多画素輪郭補正の水平輪郭補正の強調中心となる周波数を低くすることと、多画素輪郭補正を強くすることと、の少なくとも一つを行うことを特徴とする撮像装置。
【請求項４】
請求項１の撮像装置において、上記レンズはズーム値を検出する手段とパターンプロジェクタまたはＬＤ等のコヒーレント光源とエクステンダとを内蔵した望遠ズームレンズであり、上記映像信号処理部は、塵埃の映像信号減衰の補正信号の画面記憶部と増幅可変手段とを含み、上記レンズのズーム値を検出して検出したズーム値を上記固体撮像装置に伝送し、上記固体撮像装置は、上記検出したガルバノメータの電流の時間平均値の逆数と前記検出したズーム値とからレンズ絞り値を算出し、前記レンズのエクステンダと前記レンズのズーム値と前記算出した絞り値と光学フィルタ種類との条件マトリクスにより変化するパターンプロジェクタまたはＬＤ等のコヒーレント光源光の映像における、レンズと撮像素子間の塵埃の影の映像を前記条件マトリクスで検出し上記塵埃の映像信号減衰の補正信号の画面記憶部前記条件マトリクスごとに記憶し、前記条件マトリクスとにより変化するレンズと撮像素子間の塵埃の影の部分の映像信号を前記増幅可変手段で前記塵埃の映像信号減衰の補正信号分を増幅して補正することを特徴とする撮像装置。
【発明の詳細な説明】
【技術分野】
【０００１】
本発明は、監視システムに用いる固体撮像装置の改良に関するものである。
【背景技術】
【０００２】
オンチップカラーフイルタ付き固体撮像素子を１ヶ用いたカラー固体撮像装置（以下単板カラーカメラ）はＣＣＤ（Charge  Coupled  Device）撮像素子と雑音を除去するＣＤＳ（Correlated  Double  Sampling）と暗電流補正と利得可変増幅回路（Automatic  Gain  Control以下ＡＧＣ）とデジタル信号に変換するＡＤＣ（Analog  Digital  Converter）とを内蔵したアナログフロントエンド（Analog  Front  End：ＡＦＥ）とＣＣＤ駆動回路と信号処理回路からなる。上記の全ての機能を実現したＣＭＯＳ撮像素子を用いても良い。
【０００３】
ズームレンズやバリフォーカルレンズの絞り値が開放端付近ではレンズの周辺光量や周辺の変調度が低下する。図５はレンズの周辺光量の低下の一例を示す模式図であり、図６はレンズの周辺の変調度が低下の一例を示す模式図である。図５の様に、望遠端付近では口径食による周辺光量低下が加わり周辺光量低下が顕著になり、開放絞り値も大きく（開口数も小さく）なる。また、広角側ではコサイン四乗則による周辺光量低下が加わり、ズーム値で大きく周辺光量低下が変化し絞り値ではあまり変化しない。広角端では、絞り値を大きくしても周辺光量低下が直らない。さらに、図６の様に、望遠端付近では収差補正不足による変調度低下も加わり画面周辺の変調度低下も顕著になる。絞り値が閉塞端に近づくと、図６の様に、回折により画面均一に変調度が低下する。
そこで絞りの近くにスポットＮＤフィルタを挿入するが、変調度の低下が少ないスポットＮＤフィルタは高価である。絞り値情報を出力するレンズを用いる放送用カメラでは、絞り値が閉塞端に近づくと、絞り値をＦ１１程度以下に保ち、電子シャッタで露光時間を短くして感度を低下させて変調度を維持する。
さらに、レンズとＣＣＤ撮像素子との間の塵埃の影もレンズの絞り値に応じて変化する。そこで、レンズの絞り値に応じて変化するレンズとＣＣＤ撮像素子との間の塵埃の影をレンズ絞り値に応じて補正していた（特許文献１参照）。
しかし、ガルバノ方式のレンズ絞り値を検出する手段が無く、レンズの絞り値に応じて変化するレンズの変調度やレンズの周辺光量低下や、レンズとＣＣＤ撮像素子との間の塵埃の影等の現象に対して映像信号処理をすることができない。
【先行技術文献】
【特許文献】
【０００４】
【特許文献１】特開平９−５１４５９号公報
【発明の概要】
【発明が解決しようとする課題】
【０００５】
本発明は、撮像装置において、ガルバノ方式のレンズ絞り値を検出し、レンズの絞り値に応じて変化する映像を映像信号処理で補正することを目的とする。
【課題を解決するための手段】
【０００６】
そこで本発明は上記課題を解決するため、ガルバノメータ方式の絞りを備えたレンズを用いガルバノメータコイルを駆動する手段と固体撮像素子と映像信号処理部とを有する固体撮像装置において、前記固体撮像装置は前記ガルバノメータの電流を検出する手段（電流検出抵抗とＡ／Ｄ機能内蔵ＣＰＵと）と前記検出したガルバノメータの電流の時間平均値の逆数からレンズ絞り値を算出する手段（ＣＰＵ）とを有し、前記映像信号処理部は映像信号を補正する映像信号処理部であり、前記検出したガルバノメータの電流の時間平均値の逆数からレンズ絞り値を算出し、前記算出したレンズの絞り値により変化する映像信号を前記映像信号処理部で補正することを特徴とする撮像装置である。
【０００７】
また、上記固体撮像装置において、上記レンズは焦点距離を検出し検出した焦点距離情報を上記固体撮像装置に伝送する手段を内蔵したレンズであり、上記固体撮像装置は伝送された上記レンズの焦点距離を判断する手段（ＣＰＵ）と、ＡＦＥと、画面周辺の映像信号の輪郭補正の輪郭強調中心周波数と輪郭強調量とを補正する機能とを含む信号処理部と、を有し、ＡＦＥまたは信号処理部の少なくとも一方が画面周辺の映像信号の輝度低下を補正する機能を有し、前記算出した絞り値が開放端に近づくと、上記レンズの画面周辺の変調度低下による映像信号の画面周辺の変調度（映像信号の輪郭）低下を補正すること、前記算出した絞り値が閉塞端に近づくと、上記レンズの回折による画面均一の変調度低下による映像信号の画面均一の変調度（映像信号の輪郭）低下を補正すること、上記レンズの焦点距離情報から望遠側と判断した場合は、上記レンズの望遠側の口径食による画面周辺の光量低下による映像信号の画面周辺の振幅低下と、上記レンズの画面均一の変調度低下による映像信号の画面均一の変調度低下と上記レンズの画面周辺の変調度低下による映像信号の画面周辺の変調度低下との両方と、の少なくとも一方を補正すること、上記レンズの焦点距離情報から広角端に近づいたと判断した場合は、上記レンズの広角側のコサイン四乗側による画面周辺の光量低下による映像信号の画面周辺の振幅低下を補正すること、前記算出した絞り値が、閉塞端に近づくと、ガルバノメータコイル（の電圧を所定値以上に保つと閉塞方向の応答速度が遅くなるので、）電流の時間平均値を所定値以上に保ち、電子シャッタで露光時間を短く（して感度を低下）させること、の少なくとも一つを行うことを特徴とする撮像装置である。
【０００８】
また、上記固体撮像装置において、上記固体撮像装置の映像信号処理部は、入力映像信号を走査線期間遅延する映像信号走査線遅延部を６ヶ以上の偶数２Ｍヶと、上記入力映像信号と走査線期間遅延後の映像信号とから垂直輪郭信号を生成する多画素垂直輪郭信号生成部と、上記入力映像信号と走査線期間遅延後の映像信号とを画素遅延する映像信号画素遅延部を各６ヶ以上の偶数２Ｎヶ合計４ＭＮヶと、上記入力映像信号をＭ走査線期間遅延した映像信号とＭ走査線期間遅延し各画素遅延後の映像信号とから水平輪郭信号を生成する多画素水平輪郭信号生成部と、上記入力映像信号をＭ走査線期間遅延しＮ画素遅延した映像信号に上記多画素垂直輪郭信号と上記多画素水平輪郭信号とを加算する多画素輪郭補正部と、を有し、上記算出したレンズの絞り値の大きさに応じて、多画素輪郭補正の垂直輪郭補正の強調中心となる走査線本数を多くすることと、多画素輪郭補正の水平輪郭補正の強調中心となる周波数を低くすることと、多画素輪郭補正を強くすることと、の少なくとも一つを行うことを特徴とする撮像装置である。
【０００９】
また、上記固体撮像装置において、上記レンズはズームレンズまたは電動バリフォーカルレンズまたは（バリフォーカルプラス等の）焦点変動補正機構内蔵バリフォーカルレンズの少なくとも一つのレンズでありかつ焦点距離を検出し該検出した焦点距離情報を上記固体撮像装置に伝送する手段を内蔵したレンズであり、上記固体撮像装置は伝送された上記レンズの焦点距離情報を判断する手段（ＣＰＵ）と、ＡＦＥと、画面周辺の映像信号の多画素輪郭補正の輪郭強調中心周波数と輪郭強調量とを補正する機能とを含む信号処理部と、を有し、ＡＦＥまたは信号処理部の少なくとも一方が画面周辺の映像信号の輝度低下を補正する機能を有し、前記算出した絞り値が開放端に近づくと、上記レンズの画面周辺の変調度低下による映像信号の画面周辺の変調度（映像信号の輪郭）低下を補正すること、前記算出した絞り値が閉塞端に近づくと、上記レンズの回折による画面均一の変調度低下による映像信号の画面均一の変調度（映像信号の輪郭）低下を補正すること、上記レンズの焦点距離情報から望遠側と判断した場合は、上記レンズの望遠側の口径食による画面周辺の光量低下による映像信号の画面周辺の振幅低下と、上記レンズの画面均一の変調度低下による映像信号の画面均一の変調度低下と上記レンズの画面周辺の変調度低下による映像信号の画面周辺の変調度低下との両方と、の少なくとも一方を補正すること、上記レンズの焦点距離情報から広角端に近づいたと判断した場合は、上記レンズの広角側のコサイン四乗側による画面周辺の光量低下による映像信号の画面周辺の振幅低下を補正すること、前記算出した絞り値が、閉塞端に近づくと、ガルバノメータコイル（の電圧を所定値以上に保つと閉塞方向の応答速度が遅くなるので、）電流の時間平均値を所定値以上に保ち、電子シャッタで露光時間を短く（して感度を低下）させること、の少なくとも一方を行うことを特徴とする撮像装置である。
【００１０】
また、上記固体撮像装置において、上記レンズは焦点距離を検出し該検出した焦点距離情報を上記固体撮像装置に伝送する手段とパターンプロジェクタまたはＬＤ等のコヒーレント光源とエクステンダとを内蔵した望遠ズームレンズであり、上記映像信号処理部は、塵埃の映像信号減衰（影）の補正信号の画面記憶部（画面メモリ）と増幅可変手段（掛け算器）とを含み、上記レンズのズーム値を検出して検出したズーム値を上記固体撮像装置に伝送し、上記固体撮像装置は、上記検出したガルバノメータの電流の時間平均値の逆数と前記検出したズーム値とからレンズ絞り値を算出し、前記レンズのエクステンダと前記レンズのズーム値と前記算出した絞り値と光学フィルタ種類との条件マトリクスにより変化するパターンプロジェクタまたはＬＤ等のコヒーレント光源光の映像における、レンズと撮像素子間の塵埃の影の映像を前記条件マトリクスで検出し上記塵埃の映像信号減衰（影）の補正信号の画面記憶部（画面メモリ）前記条件マトリクスごとに記憶し、前記条件マトリクスとにより変化するレンズと撮像素子間の塵埃の影の部分の映像信号を前記増幅可変手段（掛け算器）で前記塵埃の映像信号減衰（影）の補正信号分を増幅して補正することを特徴とする撮像装置である。
【発明の効果】
【００１１】
上記によると、撮像装置において、ガルバノ方式のレンズ絞り値を検出し、レンズの絞り値に応じて変化する映像を映像信号処理で補正することができる
【図面の簡単な説明】
【００１２】
【図１】本発明の１実施例の固体撮像装置のブロック図
【図２】本発明の１実施例の塵埃補正付増幅度変調部のブロック図
【図３】本発明の１実施例の多画素輪郭補正部のブロック図
【図４】本発明の１実施例の多画素輪郭補正部の動作の模式図
【図５】レンズの周辺光量の低下の一例を示す模式図
【図６】レンズの周辺の変調度の低下の一例を示す模式図
【発明を実施するための形態】
【実施例１】
【００１３】
以下、本発明の１実施例の固体撮像装置のブロック図の図１と、本発明の１実施例の塵埃補正付増幅度変調部のブロック図の図２と、レンズの周辺光量の低下の一例を示す模式図の図５と、レンズの周辺の変調度が低下の一例を示す模式図の図６とを用いて、本発明の実施例の概要を説明する。
【００１４】
図１の本発明の１実施例の固体撮像装置のブロック図において、１はパターンプロジェクタまたはＬＤ等コヒーレント光源の１０とガルバノメータ方式絞りのガルバノメータコイル１２と焦点距離を検出し上記固体撮像装置に伝送する手段を内蔵したレンズである。具体的には、１はズームレンズまたは電動バリフォーカルレンズまたはバリフォーカルプラス等の焦点変動補正機構内蔵バリフォーカルレンズの少なくとも一つのレンズである。また、２は固体撮像装置で、３は雑音を除去するＣＤＳ（Correlated  Double  Sampling）と暗電流補正と利得可変増幅回路（Automatic  Gain  Control：ＡＧＣ）とデジタル信号に変換するＡＤＣ（Analog  Digital  Converter）とを内蔵したアナログフロントエンド（Analog  Front  End：ＡＦＥ）である。また、４は映像信号を補正する映像信号処理部、５はＴＧ、６はＡ／ＤとＤ／Ａとを内蔵したＣＰＵ、７は絞り駆動部、８はＣＣＤ撮像素子、９は光学フィルタ、１１は電流検出抵抗Ｒｒである。また、Linは入射光で、Voは出力映像信号である。
【００１５】
本発明の１実施例の塵埃補正部のブロック図の図２Ａにおいて、１２は塵埃補正付増幅度変調部であり、１４は光学フィルタ９ごとのレンズ１の各焦点距離とエクステンダ状態と各絞り値における塵埃の映像信号減衰（影）の画面メモリ、１６は掛け算器である。図２Ａでは、掛け算器１６の信号処理部内を例示したが、掛け算器１６は、画素単位に高速応答すれば、ＡＦＥ内のＡＧＣでも構わない。１７は足し算器であり、１８は各焦点距離と各絞り値における画面周辺映像信号減衰値の画面メモリである。レンズのエクステンダ状態は１倍と２倍とが一般的だが、ワイド対応の０．８倍や長焦点距離用の２．５倍や３倍もある。
【００１６】
絞り値を検出できないガルバノメータ方式絞りのレンズは、絞り値が安定している状態では、ガルバノメータコイルの１２の電流は絞りの開き具合つまり絞り値の逆数（開口数）に比例する。したがって、ガルバノメータコイルの１２の電流値の時間平均の逆数に絞り値は比例する。ガルバノメータコイルの１２の電流値０なら絞りきりで、電流値最大なら絞り開放となる。
そこで、絞り値を検出できないガルバノメータ方式絞りのレンズ使用時に、絞り駆動部の７で駆動されたガルバノメータコイルの１２の電流を１１の検出抵抗Ｒｒの電流降下電圧ＶｒとＣＰＵの６に内蔵したＡ／Ｄとで検出し、ＣＰＵの６で計算した時間平均値の逆数からレンズ絞り値を算出する。
【００１７】
ズームレンズやバリフォーカルレンズや低価格のレンズの絞り値が開放端付近ではレンズの周辺光量や周辺の変調度が低下する。
レンズの周辺光量の低下の一例を示す模式図の図５の様に、絞り値が開放端付近ではレンズの周辺光量が低下し、望遠端付近では口径食による周辺光量低下が加わり周辺光量低下が顕著になり、開放絞り値も大きく（開口数も小さく）なる。また、広角側ではコサイン四乗則による周辺光量低下が加わり、ズーム値で大きく周辺光量低下が変化し絞り値ではあまり変化しない。広角端では、絞り値を大きくしても周辺光量低下が直らない。
さらに、望遠ズームレンズレンズは、エクステンダを挿入する等により、焦点距離が１０００ｍｍに到達すると、レンズ開放絞りがＦ１１近辺まで暗くなる。また、直射日光下では、電子シャッタやＮＤ（Neutral  Density）フィルタを用いても、レンズ絞りがＦ１１以上に絞られる。
ところで、レンズは、絞り値に応じて光の回折による変調度（Modulation  Transfer  Function：ＭＴＦ）が低下する。具体的には、画高４．８ｍｍの１／３型撮像素子でＮＴＳＣ用で垂直有効画素４８５個では、画素周波数での変調度はレンズ絞り値が閉塞端に近づくＦ１１で２７％まで低下する。レンズ値が閉塞端Ｆ１６付近では低い周波数での変調度まで低下する。また、ズームレンズやバリフォーカルレンズは、絞り値が開放端付近では収差により変調度特に周辺の変調度が低下する。その結果、レンズの周辺の変調度が低下の一例を示す模式図の図６の様に、絞り値が開放端付近ではレンズの周辺の変調度が低下し、絞り値が閉塞端に近づくと、回折により画面均一に変調度が低下する。ズームレンズやバリフォーカルレンズの望遠端付近では収差補正不足による変調度低下も加わり画面均一に変調度が低下する上に画面周辺の変調度低下も顕著になる。
【００１８】
そして、測定方法は後で説明するが、光学フィルタ９ごとのレンズ１の各焦点距離とエクステンダ状態と各絞り値における塵埃の映像信号減衰（影）の画面メモリ１４と、レンズ１の各焦点距離とエクステンダ状態と各絞り値における画面周辺映像信号減衰値の画面メモリ１８と、足し算器１７と掛け算器１６とで、各焦点距離と各絞り値に合わせて、各画素ごとに、増幅度を変調する。その結果、塵埃の映像信号減衰（影）も、周辺光量低下も補正された映像信号を出力する。
【００１９】
レンズ１の各焦点距離とエクステンダ状態と各絞り値における画面周辺映像信号減衰値の画面メモリ１８の値は、予めレンズ１の種類ごとに測定して記憶しておき、使用するレンズ１の種類ごとに呼び出して使用しても良いし、使用するレンズ１で積分球等の均一光源を撮影して実測して記憶して、使用しても良い。
画面中心とレンズ１との光軸が合致していれば、画面周辺映像信号減衰はほぼ画面中心に対し軸対称である。そこで、レンズ１の各焦点距離とエクステンダ状態と各絞り値における画面周辺映像信号減衰値の画面メモリ１８の代わりに、汎用のメモリに画面中心からの距離に対する画面周辺映像信号減衰を記憶しておく。そして、ＣＰＵの６または映像信号処理部４において、各画素の画面中心からの距離に基づいて、画面周辺映像信号減衰を算出して、各画素ごとに、増幅度を変調するようにしても良い。
【００２０】
また、レンズ１はズームレンズまたは電動バリフォーカルレンズまたはバリフォーカルプラス等の焦点変動補正機構内蔵バリフォーカルレンズの少なくとも一つのレンズでありかつ焦点距離を検出し検出した焦点距離情報を上記固体撮像装置に伝送する手段を内蔵したレンズであれば良い。上記固体撮像装置は伝送された焦点距離情報を判断する手段ＣＰＵ６と、ＡＦＥ３と画面周辺の映像信号の輪郭補正の輪郭強調中心周波数と輪郭強調量とを補正する機能とを含む信号処理部４とを有し、ＡＦＥ３または信号処理部４の少なくとも一方が画面周辺の映像信号の輝度低下を補正する機能を有すれば良い。簡易には、信号処理部４で輪郭補正の輪郭強調中心周波数を固定とし、輪郭強調量を増加しても効果がある。多画素輪郭補正については、実施例３で説明する。
ＣＰＵ６が算出した絞り値が開放端に近づくと、多画素輪郭補正部１９で画面周辺の映像信号の輪郭補正の輪郭強調中心周波数を下げて、画面周辺の映像信号の輪郭強調量を増加して、画面周辺の変調度（映像信号の輪郭）低下を補正する。また、ＣＰＵ６が算出した絞り値が閉塞端に近づくと、画面全体の映像信号の輪郭補正の輪郭強調中心周波数を下げて、画面全体の映像信号の輪郭強調量を増加して、画面全体を均一に変調度低下を補正する。
伝送された焦点距離情報からＣＰＵ６が望遠端付近と判断すると、多画素輪郭補正部１９で画面全体を均一に映像信号の輪郭補正の輪郭強調中心周波数を下げて映像信号の輪郭強調量を増加して、変調度（映像信号の輪郭）低下を補正するだけでなく、画面周辺の映像信号の輪郭補正の輪郭強調中心周波数を下げて、画面周辺の映像信号の輪郭強調量を増加して、画面周辺の変調度（映像信号の輪郭）低下を補正する。
【００２１】
ＣＰＵ６がズーム位置出力から望遠側と判断した場合で、前記算出した絞り値から開放端に近づいたと判断した場合は、画面周辺の光量（映像信号の輝度）低下または画面均一の変調度低下と画面周辺の変調度低下との両方との少なくとも一方を補正する。ＣＰＵ６がズーム位置出力から広角端に近づいたと判断した場合は、画面周辺の光量（映像信号の振幅）低下を塵埃補正付増幅度変調部１２のレンズ１の各焦点距離と各絞り値における画面周辺映像信号減衰値の画面メモリ１８と足し算器１７と掛け算器１６とで、映像信号の増幅度を変調して補正する。
ＣＰＵ６が算出した絞り値が、閉塞端に近づくと、ガルバノメータコイルの電圧を所定値以上に保つと閉塞方向の応答速度が遅くなるので、ガルバノメータコイルの電流の時間平均値を所定値以上に保ち、電子シャッタで露光時間を短くして感度を低下させる。その結果、ガルバノメータ方式の絞りを備え、高価なスポットＮＤフィルタを備えないレンズを用いても、絞り値が、閉塞端に到達せず、絞りの閉塞端ハンチングが防止でき、レンズ値が閉塞端付近では低い周波数での変調度まで低下することが防止できる。
【００２２】
そのため、ズームレンズやバリフォーカルレンズや低価格のレンズの周辺光量低下や変調度低下を許容できるようになり、ガルバノメータ方式の絞りを備えたズームレンズやバリフォーカルレンズや低価格のレンズの小型化と低価格化と映像信号の高変調度との両立が容易になる。
【実施例２】
【００２３】
図１の本発明の１実施例の固体撮像装置のブロック図において、レンズの１は、均一照明のパターンプロジェクタまたはＬＤ等コヒーレント光源の１０をガルバノメータ方式絞りの入射光側に内蔵する望遠ズームレンズである。光学フィルタ９ごとのレンズ１の各焦点距離とエクステンダ状態と絞り値との条件マトリクスにより変化するレンズとＣＣＤ撮像素子間の塵埃の影の映像を前記条件マトリクスで検出し条件マトリクスにおける塵埃の映像信号減衰（影）の画面メモリの１４に前記条件マトリクスごとに記憶する。前記条件マトリクスとにより変化するレンズとＣＣＤ撮像素子間の塵埃の映像信号減衰（影）をレンズとＣＣＤ撮像素子間の塵埃の映像信号減衰（影）の部分だけ１４は光学フィルタ９ごとのレンズ１の各焦点距離おける塵埃の映像信号減衰（影）の画面メモリの１４から補正値を読み出し、ＣＰＵの６で制御される掛け算器の１５で修正し、掛け算器の１６で映像信号を可変増幅して、塵埃の映像信号減衰（影）を補正する。
望遠ズームレンズの１の中の１０は、均一照明のパターンプロジェクタの方が精度よく塵埃の映像信号減衰（影）を検出できる。しかし、ＬＤ等コヒーレント光源の方が小型化と低価格化が容易である。
【００２４】
工場の外でレンズ交換時に、レンズとＣＣＤ撮像素子間の塵埃が付着し易い。しかし、本発明により、工場の外でレンズ交換時に付着したレンズとＣＣＤ撮像素子間の塵埃影の部分だけ映像信号を補正することができる。
【実施例３】
【００２５】
レンズの周辺の変調度が低下の一例を示す模式図の図６の様に、絞り値が開放端付近ではレンズの周辺の変調度が低下し、絞り値が閉塞端に近づきＦ１１付近では、回折により画面均一に変調度が低下し、絞り値が閉塞端Ｆ１６付近では、回折により画面均一に低い周波数から変調度が低下する。ズームレンズやバリフォーカルレンズの望遠端付近では収差補正不足による変調度低下も加わり画面均一に変調度が低下する上に画面周辺の変調度低下も顕著になる。図示しないが、高倍率の長焦点望遠ズームレンズの望遠端付近では低い周波数から変調度が低下し、絞り値が開放端付近では周辺で特に顕著に低い周波数から変調度が低下する。
そこで、以下、本発明の１実施例の多画素輪郭補正部のブロック図の図３と、本発明の１実施例の多画素輪郭補正部の動作図の図４とを用い、低い周波数から変調度が低下することを補正する実施例３を説明する。
【００２６】
本発明の１実施例の多画素輪郭補正部のブロック図の図３において、１９は多画素輪郭補正部であり、２０〜２６と２９とは加算器、２７は映像レベル判定器、２８は画素遅延６ヶ部、３０は正負と増幅度を可変する掛け算器、３１は小振幅大振幅の圧縮制限器、３２と３３は輪郭信号生成部、Ｍ１〜Ｍ６はラインメモリ部、Ｎ０〜Ｎ６は負の掛け算器、Ｐ１とＰ４は正の掛け算器である。
補正前信号は、Ｍ１〜Ｍ６のラインメモリ部で走査線（Ｈ）期間遅延し０Ｈから６Ｈの合計７Ｈの信号となる。３Ｈ信号は、さらに２８の画素遅延６ヶ部で画素時間つまりＣＣＤクロック時間し合計７組の遅延信号となる。合計７Ｈの信号と合計７組の遅延信号とは、３２と３３との輪郭信号生成部に入り、垂直輪郭信号と水平輪郭信号とになり、加算器２９で加算され、小振幅大振幅圧縮制限部の３１で小振幅と大振幅とを圧縮制限され、３Ｈ３画素遅延信号を入力した映像レベル判定部４０の制御を受ける正負掛算器３０で輪郭補正信号となり、３Ｈ３画素遅延信号に加算されて、補正後信号となる。
【００２７】
その結果、本発明の１実施例の多画素輪郭補正部の動作図の図４の(a)低周波数から低い変調度の補正前信号のように低周波数から変調度が低下していても、(b)輪郭補正７画素成分と、(c)輪郭補正５画素成分と、(d)輪郭補正３画素成分とを合成し、(e)本発明補正後信号のように、輪郭が補正できる。
そして、多画素輪郭補正の位相そのままで、算出したレンズの絞り値の大きさに応じて、画面周辺で多画素輪郭補正の垂直輪郭補正の強調中心となる走査線本数を多く（垂直周波数を低く）し、多画素輪郭補正の水平輪郭補正の強調中心となる周波数を低くし、輪郭強調量を画面周辺で増加させる。
【００２８】
つまり、実施例３では、高倍率の望遠ズームレンズの望遠端付近や絞り値が開放端付近や絞り値が閉塞端Ｆ１６付近で低い周波数から変調度が低下していても、図３の多画素輪郭補正部で、図４の(e)本発明補正後信号のように、映像信号の輪郭が再現できる。
そのため、ズームレンズやバリフォーカルレンズの変調度低下を許容できるようになり、ズームレンズやバリフォーカルレンズの小型化と低価格化と映像信号の高変調度との両立が容易になる。
また、絞り値が開放端付近や絞り値が閉塞端と映像信号の高変調度との両立が容易になるため、レンズの絞り値の検出誤差も許容でき、ガルバノメータ方式の絞りを備えたレンズが許容できるようになり、ズームレンズやバリフォーカルレンズの小型化と低価格化と映像信号の高変調度との両立が容易になる。
【００２９】
収差の少ないズームレンズやバリフォーカルレンズの望遠端付近や絞り値が閉塞端に近づきＦ１１付近の変調度が低下では、ラインメモリＭ１〜Ｍ６を減らし、垂直輪郭補正の輪郭強調中心周波数を固定とし、水平輪郭補正の強調中心となる周波数を低くし、輪郭強調量を画面周辺で増加させても効果がある。更に収差を補正したズームレンズやバリフォーカルレンズの望遠端付近や絞り値が開放端付近の変調度が低下では、画素遅延６ヶ部２８も減らし、水平輪郭補正の輪郭強調中心周波数も固定とし、輪郭強調量を増加しても効果がある。単純に、多画素輪郭補正で輪郭補正の輪郭強調中心周波数を固定とし、輪郭強調量を増加しても効果がある。
【００３０】
また、実施例１のガルバノメータ方式の絞りを備えたレンズの周辺光量低下の補正と周辺の変調度低下の補正と絞り閉塞端防止と、実施例３の多画素輪郭補正による低い周波数までの変調度低下の補正とを組み合わせれば、ズームレンズやバリフォーカルレンズの望遠端の口径食による開放絞り値の落ち込みと、収差による望遠端の変調度低下と、収差による絞り開放の変調度低下と、を許容できるようになる。その結果、高解像度対応や近赤外光対応や高倍率や長焦点距離のズームレンズやバリフォーカルレンズの小型化と低価格化と、映像信号の高変調度との両立とが容易になる。つまり、ガルバノメータ方式の絞りを備えた電動バリフォーカルレンズまたは（バリフォーカルプラス等の）焦点変動補正機構内蔵バリフォーカルレンズまたは高倍率長焦点距離ズームレンズとの組み合わせた監視に最適になる。
【符号の説明】
【００３１】
１：ガルバノメータ絞り方式レンズ、
２：固体撮像装置、３：ＡＦＥ、４：映像信号処理部、
５：ＴＧ、６：ＣＰＵ、７：絞り駆動部、
８：ＣＣＤ撮像素子、９：光学フィルタ、
１０：パターンプロジェクタまたはＬＤ等コヒーレント光源、
１１：電流検出抵抗Ｒｒ、１２：塵埃補正付増幅度変調部、
１４：光学フィルタ９ごとのレンズ１の各焦点距離とエクステンダ状態と各絞り値における塵埃の映像信号減衰（影）の画面メモリ、
１６：掛け算器、１７：足し算器、
１８：レンズ１の各焦点距離と各絞り値における画面周辺映像信号減衰値の画面メモリ、
Lin：入射光、Vo：出力映像信号、
１９：多画素輪郭補正部、２０〜２６，２９：加算器、２７：映像レベル判定器、
２８：画素遅延６ヶ部、３０：正負と増幅度を可変する掛け算器、
３１：小振幅大振幅の圧縮制限器、３２，３３：輪郭信号生成部、
Ｍ１〜Ｍ７：ラインメモリ部、Ｎ１〜Ｎ７：負の掛け算器、Ｐ１、Ｐ４：正の掛け算器、
【図１】
2012054621.tif 000003
【図２】
2012054621.tif 000004
【図３】
2012054621.tif 000005
【図４】
2012054621.tif 000006
【図５】
2012054621.tif 000007
【図６】
2012054621.tif 000008